(57)【特許請求の範囲】
【請求項１】
ＩＣチップ内に情報を記録し、専用のリーダ・ライタ装置から電磁誘導作用を利用して電力供給を受ける非接触式のＲＦＩＤラベルにおいて、
確認手段と承認手段を設け、
ＲＦＩＤラベル内のＩＣチップに、予め複数の異なる情報をそれぞれ複数段階のセキュリティランク付けして記録し、
ＲＦＩＤラベル専用リーダ装置が情報の読み取りを行う際に、アクセスされる情報のセキュリティランクに対応して前記確認手段にてそのセキュリティランクを示し、
前記承認手段による承認入力に応じて、アクセス対象の情報表示を許可することを特徴とする承認機能付きＲＦＩＤラベル。
【請求項２】
前記確認手段が、ＬＥＤであることを特徴とする請求項１記載の承認機能付きＲＦＩＤラベル。
【請求項３】
前記ＩＣチップ内に情報を共通フォーマットで記録したことを特徴とする請求項１又は２記載の承認機能付きＲＦＩＤラベル。
【請求項４】
前記ＩＣチップ内に共通フォーマットで記録される情報が、旅行情報であることを特徴とする請求項３記載の承認機能付きＲＦＩＤラベル。
【請求項５】
請求項４記載のＲＦＩＤラベルと、
このＲＦＩＤラベルが接近すると自動的にＩＣチップ内に記録された情報へアクセスし、前記ＲＦＩＤラベルの承認手段の承認入力に応じて、アクセス対象の旅行情報を表示するＲＦＩＤラベル専用リーダ装置とを備えることを特徴とする道案内機能付きＲＦＩＤシステム。
【請求項６】
前記ＲＦＩＤラベルに、国名情報を、前記承認手段に承認入力せずとも読み出せる最もセキュリティランクの低い情報として記録し、
前記ＲＦＩＤラベル専用リーダ装置は、前記ＩＣチップ内に記録された情報へアクセスしてその情報を表示する際に、前記国名情報に対応した言語で表示を行うことを特徴とする請求項５記載の道案内機能付きＲＦＩＤシステム。
【発明の詳細な説明】
【０００１】
【発明の属する技術分野】
本発明は、ＩＣチップ内に情報を記録し、専用のリーダ・ライタ装置から電磁誘導作用を利用して電力供給を受ける非接触式のＲＦＩＤ（Ｒａｄｉｏ  Ｆｒｅｑｕｅｎｃｙ  Ｉｄｅｎｔｉｆｉｃａｔｉｏｎ）ラベルに承認機能を付加したＲＦＩＤラベル及びそれを用いた道案内機能付きＲＦＩＤシステムに関する。
【０００２】
【従来の技術】
近年、専用のリーダ・ライタ装置から電磁誘導作用を利用して電力供給を受け、ＩＣチップ内に情報を記録する非接触式のＲＦＩＤラベルが用いられるようになってきた。
【０００３】
図７は非接触ＲＦＩＤラベルの概略構成を示す。ＲＦＩＤラベルは、情報を記録するためのＩＣチップ１と電磁波を送受信するためのアンテナ２とを有し、ＲＦＩＤリーダ・ライタ装置から電磁波を媒介として信号と共に電力供給を受けることによってバッテリーを必要としないことを特徴とする。１０ｍｍ×６０ｍｍ×０．２５ｍｍと小さく薄いラベルで、将来は印刷化も考えられている。メモリ容量は、１Ｋｂｉｔ（ユーザエリア６００ｂｉｔ）である。最大１．５ｍ離れたところから、専用のリーダ・ライタ装置で同時に何枚ものラベルの読み書き（Ｒ／Ｗ）できることが特徴である。
【０００４】
図８は、ＲＦＩＤラベルの構成と動作原理を示す。ＲＦＩＤラベルは、ＲＦＩＤリーダ・ライタ装置のコイル（アンテナ）部から２．４５ＧＨｚのマイクロ波を媒介として信号と共に電力供給を受ける。
【０００５】
ところで、従来は飛行場や駅構内での時刻表、飛行機便名と発着ゲート・遅れ時間の表示は、掲示板によって利用者に情報提供をおこなっていた。
【０００６】
【発明が解決しようとする課題】
しかしながら、従来の掲示板方式の交通情報案内においては、利用者が自ら利用する飛行機便名や鉄道名を完全に記憶しあるいはチケット内容と掲示板を見比べることで、掲示板内の該当個所を探すことが必要となっていたが、言語の異なる旅行先で掲示板から該当個所を発見することは困難であった。またチケットの書式は航空会社によって異なるため、時刻変更の多い飛行機の発着時刻の確認を行うのに、スムーズな確認が行えなかった。
【０００７】
この掲示板方式の交通情報案内にＲＦＩＤラベルを適用する場合、ＲＦＩＤラベル内のＩＣチップに記録してある情報のうち、ＲＦＩＤリーダ装置によって、どの情報に対しアクセスされ読み出しされているのかを知ることができなかった。これは一つのＲＦＩＤラベルには一つの情報を記録して使用することが一般であったからである。このため、マルチ機能を実現するためにセキュリティランクの異なる情報を一つにまとめて使用することは困難であった。
【０００８】
そこで本発明の第１の目的は、表示素子の発光によって、ＩＣチップ内のどの情報が公開されようとしているのかを利用者に告知することにより、利用者はその情報を公開するか否かを承認ボタンを押打するかしないかで、確認できるようにした承認機能付きＲＦＩＤラベルを提供することである。
【０００９】
また本発明の第２の目的は、利用者の国名と利用する飛行機便名や移動目的地を、予めＲＦＩＤラベルに記録することで、飛行場や駅構内に設置しておくＲＦＩＤ専用リーダ装置によって、利用者の移動目的地や飛行機便名に合わせて、道案内の情報を利用者の使用する言語によって提供するようにした道案内機能付きＲＦＩＤシステムを提供することである。
【００１０】
【課題を解決するための手段】
上述の課題を解決するため、本発明は、専用のリーダ・ライタ装置から電磁誘導作用を利用して電力供給を受ける非接触ＲＦＩＤラベル内のＩＣチップに、複数の異なる情報（銀行口座番号、飛行機便名、パスポートナンバー、身分証明証の写しなど）を数段階のセキュリティランク付け（重要度割り付け）して記録すると共に、ＲＦＩＤラベルにＬＥＤと承認ボタンを設けることを特徴とする。この構成により、専用リーダ装置で情報の読み出しが行われる際に、アクセスされる情報のセキュリティランクに連動してＬＥＤを発光する。従って、利用者は専用リーダ装置がＩＣチップ内のどの情報へアクセスしようとしているのかを確認でき、さらに利用者が承認ボタンを押打しないと、アクセス対象の情報を公開しない。このため、高いセキュリティ環境を実現した。
【００１１】
また本発明は、利用者が常に携帯可能なＲＦＩＤラベル内に、パスポートの写し画像や現地大使館の連絡先、利用者のスーツケース形状・写真などの情報を共通フォーマット（ＢＭＰ画像、ＸＭＬ等）で記録している。このため、旅行先でトラブルが発生した際に、ＲＦＩＤラベル内の情報をリーダ装置で読み出すことで、旅行者の語学力に依存せず、スーツケースの輸送ミスや身分証の紛失などの際に迅速なトラブル解決を可能とする。
【００１２】
さらに本発明では、承認機能付きＲＦＩＤラベルのＩＣチップ内に利用者が予め国名と移動目的地や利用する飛行機便名などの旅行情報を記録する。駅や飛行場に設置するＲＦＩＤラベル専用リーダ装置は、ＲＦＩＤラベルが接近すると自動的にＩＣチップ内の旅行情報へアクセスして情報を読み取り、表示装置に目的地や飛行機便名に合わせた道案内を表示する。
【００１３】
【発明の実施の形態】
次に、本発明の実施の形態について図面を参照して説明する。
【００１４】
図１は、本発明の承認機能付きＲＦＩＤラベルの概略構成を示す。承認機能付きＲＦＩＤラベルは、ＩＣチップ１とアンテナ２に加えて、ＬＥＤ３、承認ボタン４、制御回路５を有する。ＬＥＤ３は制御回路５に接続され、制御回路５はＲＦＩＤ専用リーダ装置によりＩＣチップ１内のアクセスされる情報を監視して、その情報のセキュリティランクに応じてＬＥＤ３を発光するように制御する。
【００１５】
また、制御回路５は承認ボタン４と接続されており、利用者が承認ボタン４を押打するまでは、ＩＣチップ１内の特定アドレスの情報を公開しないように制御している。なお、本機能はライト時にも同様であり、承認ボタン４を押打しないと、ＩＣチップ１内にデータの書き込みは行えない。
【００１６】
このようにして、本発明では専用リーダ装置がアクセスしようとする情報を利用者が確認できることから、利用者がアクセス要求された情報に対して公開するかどうかを判断でき高いセキュリティを実現できる。
【００１７】
上記承認機能付きＲＦＩＤラベルのＩＣチップ１内に、利用者の国名、移動目的地、飛行機便名などの旅行情報を共通のフォーマットに則って記録する。
【００１８】
図２は、本発明に用いるＲＦＩＤ専用リーダ・ライタ装置の概略構成を示し、表示用の表示装置６とＲＦＩＤラベルとの通信を行うアンテナ７とそれらを制御する制御回路８によって構成される。ＲＦＩＤラベルが通信可能な距離まで接近すると、ＩＣチップ１内に記録されている情報のうち対象となる情報に対してアクセスし、読み取った情報が表示装置６に自動表示される。
【００１９】
このＲＦＩＤ専用リーダ装置で国名情報を読み込むと、使用される言語が選択され、以後の処理では利用者の理解できる言語が使用できる。そのため、言語の異なる外国において現地語を使用せずに、目的地までの移動方法、搭乗ゲートまでの道順案内などを表示装置６に表示することが可能となる。
【００２０】
このようにして、本発明ではＩＣチップ１内に共通フォーマットに従い旅行情報を記録するので、言語の異なる外国での道案内システムを簡単に利用者へ提供できる。
【００２１】
図３は、本発明のＲＦＩＤラベルを利用した道案内の例を示す。利用者の自宅にＲＦＩＤ専用ライタ装置があり、予めＲＦＩＤラベル内のＩＣチップ内に移動目的地名や、飛行機の便名を記録することができる。また、利用者が飛行場内で、利用する飛行機便のゲートまでの道順を知りたい場合、飛行場内に設置してあるＲＦＩＤ専用リーダ装置にＲＦＩＤラベルを接近させると、表示装置に道案内のための地図と矢印・文章などを表示することによって、目的地までの移動方法・移動方向を知ることができる。
【００２２】
次に図４は、ＩＣチップ内に記録する情報の一例を示す。各アドレス空間に対して、各情報がセキュリティランク毎に記録されている。記録する情報の内容はアドレス空間を特定して記録するため、アドレス値を指定するだけで必要な情報へアクセスすることが可能となっている。また、各アドレスに対して、セキュリティランク（重要度の高い順に“３”から“０”までのレベル）が割り当てられており、要求されるアドレス情報に対応して制御回路によりＬＥＤの発光が決定される。
【００２３】
セキュリティランクが最も低い“０”の場合は、ＬＥＤは発光せず承認ボタンを押打せずとも、要求された情報を公開する。セキュリティランクが“１”の場合はＬＥＤ１個が発光し、セキュリティランクが“２”の場合はＬＥＤ２個が発光する。
【００２４】
ＲＦＩＤラベルを専用リーダ装置に接近させると、ＲＦＩＤ専用リーダ装置はまずアドレス００００〜００１Ｆに対してアクセスし、ＲＦＩＤラベル利用者の国名を読み取る。国名は英文字表記（ＡＳＣＩＩコードに従う）されており、リーダ装置がその国名を読み取ることにより利用者の使用言語を自動判別し、利用者に合わせてその言語で表示すると共に読み取り時の言語フォーマットを決定する。
【００２５】
なお、上記実施形態では、ＬＥＤの発光によりアクセスされている情報のセキュリティランクを確認しているが、ＬＥＤの代わりにスピーカを実装し、音声やブザー音によってセキュリティランクを確認する構成としてもよい。また、ＲＦＩＤラベルに液晶パネル等の表示装置を実装し、セキュリティランク等を表示する構成でもよい。
【００２６】
また、表示装置６へ地図を表示することによって道案内する構成となっているが、音声により道案内するシステム構成とすることもできる。また、ＲＦＩＤラベルに液晶パネル等の表示装置を実装し、道案内等を表示する構成でもよい。
【００２７】
また、承認ボタン４は、パスワード照合や指紋認識などによってセキュリティを確保する構成とすることもできる。
【００２８】
また、本実施形態では利用者の自宅にＲＦＩＤ専用ライタ装置を設置しているが、旅行代理店などに専用ライタ装置を設置し利用してもよい。
【００２９】
次に、図５に示すフローチャートを参照して、ＲＦＩＤラベルによる道案内システムの動作を説明する。
【００３０】
予めＩＣチップ内に利用者の移動目的地や飛行機便名の情報を自宅や旅行代理店に設置してあるＲＦＩＤライタ装置によって記録しておく（Ｓ１）。次に、飛行場などにおいて、ＲＦＩＤリーダ装置にＲＦＩＤラベルを近づけると、ＲＦＩＤリーダ装置はＩＣチップ内のアドレス００００〜００１Ｆにアクセスして国名情報を読み取り（Ｓ２）、利用者の使用する言語を決定する（Ｓ３）。この際に、ＲＦＩＤリーダ装置はセキュリティランクが“０”であるため、承認ボタンが押打されなくとも情報を読み取ることができる。また、使用言語が決定されると以後の表示装置に表示する文字や、情報読み出し時のデータフォーマットも使用言語に合わせて決定される。（国名が日本や中国などの場合は２ＢＹＴＥ文字が使用されることとなる）
次に、ＲＦＩＤリーダ装置がアドレス００４０〜２５Ｃ２に対してアクセス要求を行うと（Ｓ４）、ＬＥＤが２個発光し（Ｓ５）、セキュリティランク２の情報へアクセスされていることが、利用者に知らされる。利用者が、２０秒以内に承認ボタンを押打しないと（Ｓ６）、処理が終了する（Ｓ７）。２０秒以内に承認ボタンが押打されると（Ｓ６）、要求された情報を公開し、ＲＦＩＤリーダ装置はアドレス００４０〜２５Ｃ２の情報を読み出すことが可能となる（Ｓ８）。その後、読み出した移動目的地、飛行機便名、日付などによって、目的地までの道案内を表示装置に地図で表示する（Ｓ９）。
【００３１】
図６は本発明の他の実施形態を示し、上記基本構成のシステムを応用して、目的地までの誘導を行う。ＲＦＩＤラベルはスーツケースなどの荷物に貼り付け、ベルトコンベア上の分岐点にＲＦＩＤ専用リーダ装置を設置している。スーツケースが分岐点に接近すると、自動的にスーツケースの輸送目的地を読込み、分岐点においてポイント切り替え機によって目的地までの最短コースへ誘導される。
【００３２】
本実施形態では、輸送対象物にＲＦＩＤラベルを貼り付けておき、分岐点において自動的にポイント切り替えが行われ、目的地点まで誘導されるので、輸送トラブルを発生させずに効率的な輸送が可能となる。また、万一輸送トラブルが発生した場合でも、ＩＣチップ内には利用者が利用するホテルの情報を記録しておくことで、利用者を現地飛行場で待たせることなく荷物をホテルまで輸送することが可能なため、トラブル発生時のサービス対応を向上できる。
【００３３】
本実施形態において、輸送対象荷物としてスーツケースがベルトコンベア上を移動しているが、人体の衣服などにＲＦＩＤラベルを貼り付けておき、その人が歩く歩道の分岐点で、自動的に移動方向を示して目的地まで案内する構成とすることもできる。
【００３４】
【発明の効果】
以上説明したように、本発明による第１の効果は、ＬＥＤと承認ボタンによるセキュリティシステムを採用しているので、ＲＦＩＤラベルのＩＣチップ内に記録している情報の公開可否を利用者が確認することができることである。
【００３５】
第２の効果は、ＲＦＩＤラベル所有者の国名をＩＣチップ内に記録してあり、この国名情報は承認ボタンの押打の有無に関わらず読み出され、リーダ装置の使用する言語が自動的に決定されるので、利用者は自国の言語によって、道案内などのサービスを受けることが可能なことである。
【００３６】
第３の効果は、ＲＦＩＤラベルは軽薄短小で携帯性が高いので、ＩＣチップ内に利用者のスーツケース形状情報やパスポートの写し画像を記録して常に携帯することで、輸送時トラブルや紛失、盗難などの際に、ＩＣチップ内の情報を読み出すことで、言語の異なる旅行先などで、トラブル解決に役立てることができることである。
【００３７】
第４の効果は、ＩＣチップ内に移動目的地、飛行機便名、鉄道名などの旅行情報を記録しているので、旅行時に利用者が目的地に移動するまでの移動方法・移動方向を道案内することができることである。
【図面の簡単な説明】
【図１】承認機能付きＲＦＩＤラベルの概略構成を示す図である。
【図２】ＲＦＩＤ専用リーダ・ライタ装置の概略構成を示す図である。
【図３】ＲＦＩＤラベルを利用した道案内の例を示す図である。
【図４】ＩＣチップ内に記録する情報の一例を示す図である。
【図５】ＲＦＩＤラベルによる道案内システムの動作フローチャートである。
【図６】ＲＦＩＤラベルによる誘導システムの説明図である。
【図７】従来の非接触ＲＦＩＤラベルの概略構成を示す図である。
【図８】ＲＦＩＤラベルの構成と動作原理を示す説明図である。
【符号の説明】
１  ＩＣチップ
２  アンテナ
３  ＬＥＤ
４  承認ボタン
５  制御回路
６  表示装置
７  アンテナ
８  制御回路
【図１】
0003626716.tif 000002
【図２】
0003626716.tif 000003
【図３】
0003626716.tif 000004
【図４】
0003626716.tif 000005
【図５】
0003626716.tif 000006
【図６】
0003626716.tif 000007
【図７】
0003626716.tif 000008
【図８】
0003626716.tif 000009